(57)【要約】【課題】温度変化に拘わらず反射鏡を所望の位置に保持することができるミラーユニットを提供する。【解決手段】反射鏡１０と、反射鏡１０と線膨張係数の異なる反射鏡１０を支持するミラーホルダ２０と、反射鏡１０に取り付けられた少なくとも１つの保持部材４０とを備えている。反射鏡１０は、保持部材４０を介してミラーホルダ２０に支持されており、保持部材４０は、少なくとも一部においてミラーホルダ２０に対して一の方向に摺動可能となっている。【選択図】図１
2019109304.tif 000002
【特許請求の範囲】
【請求項１】
反射鏡と、
前記反射鏡と線膨張係数の異なる前記反射鏡を支持するミラーホルダと、
前記反射鏡に取り付けられた少なくとも１つの保持部材とを備え、
前記反射鏡は、前記保持部材を介して前記ミラーホルダに支持されており、
前記保持部材は、少なくとも一部において前記ミラーホルダに対して一の方向に摺動可能となっていることを特徴とするミラーユニット。
【請求項２】
前記保持部材は、少なくとも一部において前記ミラーホルダに対して固定可能となっていることを特徴とする請求項１記載のミラーユニット。
【請求項３】
前記ミラーホルダ及び前記ミラーホルダに対して固定可能となっている前記保持部材の少なくとも一部には、前記反射鏡に対して前記ミラーホルダを位置決めするように、前記ミラーホルダと前記ミラーホルダに対して固定可能となっている前記保持部材の少なくとも一部とを係合する係合部が夫々設けられていることを特徴とする請求項２記載のミラーユニット。
【請求項４】
前記ミラーホルダに対して固定可能となっている前記保持部材の少なくとも一部の係合部は、前記反射鏡の光軸に対応して設けられた突起又は孔である位置決め係合部であり、前記ミラーホルダの係合部は、前記位置決め係合部に嵌合する孔又は突起である固定係合部であることを特徴とする請求項３記載のミラーユニット。
【請求項５】
前記ミラーホルダには、前記ミラーホルダに対して一の方向に摺動可能となっている前記保持部材の少なくとも一部と対向する面である対向面において、凸状部又は凹状部が設けられており、
前記ミラーホルダに対して一の方向に摺動可能となっている前記保持部材の少なくとも一部には、前記ミラーホルダと対向する面である対向面において、前記ミラーホルダの凸状部又は凹状部と対向する位置に、前記ミラーホルダの凸状部又は凹状部と摺動可能に係合する凹状部又は凸状部が設けられていることを特徴とする請求項１乃至４のいずれか１項記載のミラーユニット。
【請求項６】
前記一の方向は前記反射鏡の長手方向又は短手方向であり、前記ミラーホルダの前記凸状部は、前記長手方向又は短手方向に延びる凸部であり、前記保持部材の前記凹状部は、前記長手方向又は短手方向に延びる凹状溝であることを特徴とする請求項５記載のミラーユニット。
【請求項７】
前記保持部材は、少なくとも一部において前記ミラーホルダに対して前記一の方向に直交する他の方向に摺動可能となっていることを特徴とする請求項１乃至６のいずれか１項記載のミラーユニット。
【請求項８】
前記ミラーホルダには、前記ミラーホルダに対して他の方向に摺動可能となっている前記保持部材の少なくとも一部と対向する面である対向面において、凸状部又は凹状部が設けられており、
前記ミラーホルダに対して他の方向に摺動可能となっている前記保持部材の少なくとも一部には、前記ミラーホルダと対向する面である対向面において、前記ミラーホルダの凸状部又は凹状部と対向する位置に、前記ミラーホルダの凸状部又は凹状部と摺動可能に係合する凹状部又は凸状部が設けられていることを特徴とする請求項７記載のミラーユニット。
【請求項９】
複数の保持部材を有しており、
前記保持部材の一部は夫々、前記複数の保持部材の１つであることを特徴とする請求項１乃至８のいずれか１項記載のミラーユニット。
【請求項１０】
前記保持部材は前記反射鏡を挟持して前記反射鏡に固定されていることを特徴とする請求項１乃至９のいずれか１項記載のミラーユニット。
【請求項１１】
前記保持部材は前記反射鏡に接着されて前記反射鏡に固定されていることを特徴とする請求項１乃至９のいずれか１項記載のミラーユニット。
【請求項１２】
前記保持部材は前記反射鏡にワイヤ固定されて前記反射鏡に固定されていることを特徴とする請求項１乃至９のいずれか１項記載のミラーユニット。
【請求項１３】
前記ミラーホルダは、前記反射鏡よりも線膨張係数が大きくなっていることを特徴とする請求項１乃至１２のいずれか１項記載のミラーユニット。
【請求項１４】
前記反射鏡は、ガラスにより形成されており、前記ミラーホルダ及び前記保持部材は、樹脂により形成されていることを特徴とする請求項１乃至１３のいずれか１項記載のミラーユニット。
【発明の詳細な説明】
【技術分野】
【０００１】
本発明は、ミラーユニットに関する。
【背景技術】
【０００２】
従来から、車両のフロントガラスに表示光を投影するためのミラーユニットを有するヘッドアップディスプレイが広く知られている。このようなヘッドアップディスプレイは、例えば、車両のインストルメントパネル内部に取り付けられており、表示ユニットから発せられる表示光をミラーユニットを介して拡大反射させて車両のフロントガラスに投影するようになっている。このようなミラーユニットは、例えば、反射鏡と、反射鏡を保持するためのミラーホルダと、ミラーホルダを支持するための支持部とを有している（例えば、特許文献１参照。）。また、ヘッドアップディスプレイに用いられる反射鏡として、例えば、ガラス製の反射鏡が用いられることがある（例えば、特許文献２参照。）。
【先行技術文献】
【特許文献】
【０００３】
【特許文献１】特開２０１７−０９０６６７号公報
【特許文献２】特開２０１６−１９９４２９号公報
【発明の概要】
【発明が解決しようとする課題】
【０００４】
このような従来のヘッドアップディスプレイは、車両に搭載されており、車外の温度環境の変化や太陽光の照射による高温化等により温度変化が大きくなっている。このため、反射鏡とミラーホルダとの材質が異なっている場合には、反射鏡とミラーホルダとの線膨張係数の差異によって反射鏡とミラーホルダとの保持状態が解除されてしまったり、反射鏡に応力が加わり反射鏡が歪んでしまったりして反射鏡を所望の位置に保持できないおそれがあった。また、ガラスの反射鏡は、例えば、プレス成形で成形されることが多い。この場合、例えば樹脂を用いて射出成形で成形される反射鏡とは異なり、反射鏡本体にミラーホルダとの固定部等を設けることができないため、ミラーホルダが反射鏡を保持固定するのが難しくなっていた。このように、従来のヘッドアップディスプレイに対しては、温度変化に拘わらず反射鏡を所望の位置に保持することができる構造が求められていた。
【０００５】
本発明は、上述の課題に鑑みてなされたものであり、その目的は、温度変化に拘わらず反射鏡を所望の位置に保持することができるミラーユニットを提供することにある。
【課題を解決するための手段】
【０００６】
上記目的を達成するために、本発明に係るミラーユニットは、反射鏡と、前記反射鏡と線膨張係数の異なる前記反射鏡を支持するミラーホルダと、前記反射鏡に取り付けられた少なくとも１つの保持部材とを備え、前記反射鏡は、前記保持部材を介して前記ミラーホルダに支持されており、前記保持部材は、少なくとも一部において前記ミラーホルダに対して一の方向に摺動可能となっていることを特徴とする。
【０００７】
本発明の一態様に係るミラーユニットにおいて、前記保持部材は、少なくとも一部において前記ミラーホルダに対して固定可能となっている。
【０００８】
本発明の一態様に係るミラーユニットにおいて、前記ミラーホルダ及び前記ミラーホルダに対して固定可能となっている前記保持部材の少なくとも一部には、前記反射鏡に対して前記ミラーホルダを位置決めするように、前記ミラーホルダと前記ミラーホルダに対して固定可能となっている前記保持部材の少なくとも一部とを係合する係合部が夫々設けられている。
【０００９】
本発明の一態様に係るミラーユニットにおいて、前記ミラーホルダに対して固定可能となっている前記保持部材の少なくとも一部の係合部は、前記反射鏡の光軸に対応して設けられた突起又は孔である位置決め係合部であり、前記ミラーホルダの係合部は、前記位置決め係合部に嵌合する孔又は突起である固定係合部である。
【００１０】
本発明の一態様に係るミラーユニットにおいて、前記ミラーホルダには、前記ミラーホルダに対して一の方向に摺動可能となっている前記保持部材の少なくとも一部と対向する面である対向面において、凸状部又は凹状部が設けられており、前記ミラーホルダに対して一の方向に摺動可能となっている前記保持部材の少なくとも一部には、前記ミラーホルダと対向する面である対向面において、前記ミラーホルダの凸状部又は凹状部と対向する位置に、前記ミラーホルダの凸状部又は凹状部と摺動可能に係合する凹状部又は凸状部が設けられている。
【００１１】
本発明の一態様に係るミラーユニットにおいて、前記一の方向は前記反射鏡の長手方向又は短手方向であり、前記ミラーホルダの前記凸状部は、前記長手方向又は短手方向に延びる凸部であり、前記保持部材の前記凹状部は、前記長手方向又は短手方向に延びる凹状溝である。
【００１２】
本発明の一態様に係るミラーユニットにおいて、前記保持部材は、少なくとも一部において前記ミラーホルダに対して前記一の方向に直交する他の方向に摺動可能となっている。
【００１３】
本発明の一態様に係るミラーユニットにおいて、前記ミラーホルダには、前記ミラーホルダに対して他の方向に摺動可能となっている前記保持部材の少なくとも一部と対向する面である対向面において、凸状部又は凹状部が設けられており、前記ミラーホルダに対して他の方向に摺動可能となっている前記保持部材の少なくとも一部には、前記ミラーホルダと対向する面である対向面において、前記ミラーホルダの凸状部又は凹状部と対向する位置に、前記ミラーホルダの凸状部又は凹状部と摺動可能に係合する凹状部又は凸状部が設けられている。
【００１４】
本発明の一態様に係るミラーユニットにおいて、複数の保持部材を有しており、前記保持部材の一部は夫々、前記複数の保持部材の１つである。
【００１５】
本発明の一態様に係るミラーユニットにおいて、前記保持部材は前記反射鏡を挟持して前記反射鏡に固定されている。
【００１６】
本発明の一態様に係るミラーユニットにおいて、前記保持部材は前記反射鏡に接着されて前記反射鏡に固定されている。
【００１７】
本発明の一態様に係るミラーユニットにおいて、前記保持部材は前記反射鏡にワイヤ固定されて前記反射鏡に固定されている。
【００１８】
本発明の一態様に係るミラーユニットにおいて、前記ミラーホルダは、前記反射鏡よりも線膨張係数が大きくなっている。
【００１９】
本発明の一態様に係るミラーユニットにおいて、前記反射鏡は、ガラスにより形成されており、前記ミラーホルダ及び前記保持部材は、樹脂により形成されている。
【発明の効果】
【００２０】
本発明に係るミラーユニットによれば、温度変化に拘わらず反射鏡を所望の位置に保持することができる。
【図面の簡単な説明】
【００２１】
【図１】本発明の第１の実施の形態に係るミラーユニットの構成を概略的に示す斜視図である。
【図２】本発明の第１の実施の形態に係るミラーユニットの構成を概略的に示す別の方向から見た斜視図である。
【図３】本発明の第１の実施の形態に係るミラーユニットの構成を概略的に示す分解斜視図である。
【図４】本発明の第１の実施の形態に係るミラーユニットの構成を概略的に示す別の方向から見た分解斜視図である。
【図５】本発明の第１の実施の形態に係るミラーユニットの反射鏡の構成を概略的に示す斜視図である。
【図６】本発明の第１の実施の形態に係るミラーユニットのミラーホルダの構成を概略的に示す斜視図である。
【図７】本発明の第１の実施の形態に係るミラーユニットの保持部材の構成を概略的に示す斜視図である。
【図８】本発明の第１の実施の形態に係るミラーユニットの保持部材の構成を概略的に示す別の方向から見た斜視図である。
【図９】本発明の第１の実施の形態に係るミラーユニットの上側保持部材の構成を概略的に示す拡大分解斜視図である。
【図１０】本発明の第１の実施の形態に係るミラーユニットの下側保持部材の構成を概略的に示す拡大分解斜視図である。
【図１１】本発明の第１の実施の形態に係るミラーユニットの左側保持部材の構成を概略的に示す拡大分解斜視図である。
【図１２】本発明の第１の実施の形態に係るミラーユニットの右側保持部材の構成を概略的に示す拡大分解斜視図である。
【図１３】本発明の第１の実施の形態に係るミラーユニットの組み立て方法を説明するための図である。
【図１４】本発明の第１の実施の形態に係るミラーユニットの組み立て方法を説明するための図である。
【図１５】本発明の第１の実施の形態に係るミラーユニットの組み立て方法を説明するための図である。
【図１６】本発明の第２の実施の形態に係るミラーユニットの構成を概略的に示す斜視図である。
【図１７】本発明の第２の実施の形態に係るミラーユニットの反射鏡及び保持部材の構成を概略的に示す分解斜視図である。
【図１８】本発明の第３の実施の形態に係るミラーユニットの構成を概略的に示す斜視図である。
【図１９】本発明の第３の実施の形態に係るミラーユニットの反射鏡及び保持部材の構成を概略的に示す拡大斜視図である。
【図２０】本発明の第３の実施の形態に係るミラーユニットの反射鏡及び保持部材の構成を概略的に示す拡大分解斜視図である。
【発明を実施するための形態】
【００２２】
以下、本発明の実施の形態について図面を参照しながら説明する。
【００２３】
図１は、本発明の第１の実施の形態に係るミラーユニット１の構成を概略的に示す斜視図であり、図２は、ミラーユニット１の構成を概略的に示す別の方向から見た斜視図である。図３は、ミラーユニット１の構成を概略的に示す分解斜視図であり、図４は、ミラーユニット１の構成を概略的に示す別の方向から見た分解斜視図である。以下、説明の便宜上、図１におけるミラーユニット１の短手方向を矢印ａｂ方向とし、矢印ａ方向を上側、矢印ｂ方向を下側とする。また、図１におけるミラーユニット１の長手方向を矢印ｃｄ方向とし、矢印ｃ方向を左側、矢印ｄ方向を右側とする。以下の説明において、各部材の位置関係や方向を上下左右を用いて説明するときは、あくまで図面における位置関係や方向を示し、実際の機器に組み込まれたときの位置関係や方向を示すものではない。
【００２４】
図１〜４に示すように、本発明の実施の形態に係るミラーユニット１は、反射鏡１０と、反射鏡１０と線膨張係数の異なる反射鏡１０を支持するミラーホルダ２０と、反射鏡１０に取り付けられた少なくとも１つの保持部材４０とを備えている。反射鏡１０は、保持部材４０を介してミラーホルダ２０に支持されており、保持部材４０は、少なくとも一部においてミラーホルダ２０に対して一の方向に摺動可能となっている。なお、一の方向は、ミラーユニット１の長手方向又は短手方向である。また、他の方向は、一の方向に直交するミラーユニット１の短手方向又は長手方向である。
【００２５】
ミラーユニット１は、例えば、車両に搭載されているヘッドアップディスプレイの内部に取り付けられており、ヘッドアップディスプレイの表示ユニットから発せられる表示光を拡大反射させて車両のフロントガラスに投影するようになっている。これにより、例えば、車両の速度やエンジン回転数、経路案内などの車両情報が車両のフロントガラスに表示されるようになっている。
【００２６】
図５は、ミラーユニット１の反射鏡１０の構成を概略的に示す斜視図である。図１〜５に示すように、ミラーユニット１において、反射鏡１０は、例えば、矩形状又は略矩形状の板状部材であり、ミラーホルダ２０側に向かって凹んだ凹面鏡である。つまり、反射鏡１０において、ヘッドアップディスプレイの表示ユニットから発せられる表示光を反射する面である反射面１０ａとミラーホルダ２０に対向する面である対向面１０ｂとは、所定の曲率を有する曲面である。なお、反射鏡１０形状はこれに限らず平面鏡や凸面鏡であってもよい。反射鏡１０は、例えば、ガラスにより形成されている。なお、反射鏡１０の材質はこれに限らず、金属や樹脂、セラミックス等であってもよい。反射鏡１０の反射面１０ａには、アルミニウム等の金属からなる反射膜１１が蒸着形成されている。また、反射鏡１０の対向面１０ｂの中央部分には、発泡ゴム等でなるクッション部材１２が貼り付けられている。
【００２７】
反射鏡１０において、長手方向（矢印ｃｄ方向）に延びる上側端部１３及び下側端部１４の中央又は略中央には、夫々反射面１０ａと対向面１０ｂとの間で反射鏡１０を矩形状又は略矩形状に切り欠いた上側切り欠き部１３ａ及び下側切り欠き部１４ａが形成されている。上側切り欠き部１３ａ及び下側切り欠き部１４ａは、同一又は略同一の形状となっている。また、反射鏡１０において、短手方向（矢印ａｂ方向）に延びる左側端部１５及び右側端部１６の中央又は略中央には、夫々反射面１０ａと対向面１０ｂとの間で反射鏡１０を矩形状又は略矩形状に切り欠いた左側切り欠き部１５ａ及び右側切り欠き部１６ａが形成されている。左側切り欠き部１５ａ及び右側切り欠き部１６ａは、同一又は略同一の形状となっている。
【００２８】
図６は、ミラーユニット１のミラーホルダ２０の構成を概略的に示す斜視図である。図１〜４及び６に示すように、ミラーユニット１において、ミラーホルダ２０は、例えば、矩形状又は略矩形状の板状部材であり、反射鏡１０（保持部材４０）に対向する面である対向面２０ａが反射鏡１０と同一又は略同一の方向に凹んでいる。つまり、ミラーホルダ２０の対向面２０ａは、反射鏡１０と同一又は略同一の曲率を有する曲面であり、ミラーホルダ２０の厚さは、ミラーホルダ２０の長手方向（矢印ｃｄ方向）における中央又は略中央から後述する左側端部２８及び右側端部２９に向かうに従って厚くなっている。ミラーホルダ２０は、例えば、樹脂により形成されている。なお、ミラーホルダ２０の材質はこれに限らず、金属やセラミックス等であってもよく、反射鏡１０よりも線膨張係数の大きい材質で形成されていればよい。ミラーホルダ２０の対向面２０ａの中央部分には、反射鏡１０のクッション部材１２を支持するクッション受け部２１が設けられている。
【００２９】
ミラーホルダ２０において、長手方向（矢印ｃｄ方向）に延びる上側端部２２及び下側端部２３の中央又は略中央には、夫々対向面２０ａからミラーホルダ２０の対向面２０ａに背向する面である背向面２０ｂに向かって矩形状又は略矩形状に凹んだ、保持部材４０を収容する上側収容凹部２４及び下側収容凹部２５が形成されている。上側収容凹部２４及び下側収容凹部２５の底部２４ａ，２５ａの中央又は略中央には、夫々底部２４ａ，２５ａと背向面２０ｂとの間でミラーホルダ２０を貫通した貫通孔２４ｂ，２５ｂが形成されている。上側収容凹部２４には、上側収容凹部２４の下側壁面２４ｃから上側端部２２に向かって延びる２つの凸状部２４ｄ，２４ｅが設けられている。下側収容凹部２５には、下側収容凹部２５の上側壁面２５ｃから下側端部２３に向かって延びる２つの凸状部２５ｄ，２５ｅが設けられている。凸状部２４ｄ，２４ｅ，２５ｄ，２５ｅは、短手方向（矢印ａｂ方向）と平行又は略平行に延びる凸部である。
【００３０】
また、ミラーホルダ２０において、下側収容凹部２５には、上側壁面２５ｃの中央又は略中央からミラーホルダ２０の中央に向かって延びる位置決め凹部２６が連結されている。下側収容凹部２５及び位置決め凹部２６の深さは、同一又は略同一の深さとなっており、下側収容凹部２５と位置決め凹部２６とは、滑らかに接続されている。また、位置決め凹部２６は、所定の幅を有している。位置決め凹部２６の上側部分であって、ミラーホルダ２０の中央又は略中央には、反射鏡１０とミラーホルダ２０とを位置決めするためのミラーホルダ２０の係合部としての位置決め用突起２７が設けられている。位置決め用突起２７は、位置決め凹部２６の底部２６ａから円柱状又は略円柱状に立設されている。本実施の形態では、位置決め用突起２７は、反射鏡１０の光軸中心となる位置に設けられている。
【００３１】
ミラーホルダ２０において、短手方向（矢印ａｂ方向）に延びる左側端部２８及び右側端部２９の中央又は略中央には、夫々対向面２０ａから背向面２０ｂに向かって矩形状又は略矩形状に凹んだ、保持部材４０を収容する左側収容凹部３０及び右側収容凹部３１が形成されている。左側収容凹部３０及び右側収容凹部３１の底部３０ａ，３１ａには、夫々底部３０ａ，３１ａと背向面２０ｂとの間でミラーホルダ２０を貫通した２つの貫通孔３０ｂ，３０ｃ及び２つの貫通孔３１ｂ，３１ｃが形成されている。左側収容凹部３０には、左側収容凹部３０の右側壁面３０ｄの中央又は略中央から左側端部２８に向かって延びる凸状部３０ｅが設けられている。右側収容凹部３１には、右側収容凹部３１の左側壁面３１ｄの中央又は略中央から右側端部２９に向かって延びる凸状部３１ｅが設けられている。凸状部３０ｅ，３１ｅは、長手方向（矢印ｃｄ方向）と平行又は略平行に延びる凸部である。
【００３２】
また、ミラーホルダ２０において、左側端部２８及び右側端部２９は、短手方向（矢印ａｂ方向）と夫々平行又は略平行に延びる矩形状又は略矩形状の平坦面３２，３３を有している。平坦面３２，３３の中央又は略中央には、夫々円柱状又は略円柱状の回転軸３４，３５が立設されている。回転軸３４，３５は、例えば、ヘッドアップディスプレイの内部に軸支されており、ヘッドアップディスプレイの駆動ユニットによりミラーユニット１の傾斜角度が調整されるようになっている。
【００３３】
図７は、ミラーユニット１の保持部材４０の構成を概略的に示す斜視図であり、図８は、ミラーユニット１の保持部材４０の構成を概略的に示す別の方向から見た斜視図である。図１〜４及び７〜８に示すように、ミラーユニット１において、保持部材４０は、反射鏡１０を挟持して反射鏡１０に固定されている。保持部材４０は、例えば、ミラーホルダ２０と同一又は略同一の樹脂により形成されている。なお、保持部材４０の材質はこれに限らず、金属やセラミックス等であってもよく、ミラーホルダ２０と線膨張係数の同一又は略同一の材質で形成されていればよい。
【００３４】
保持部材４０は、上述したように、少なくとも一部においてミラーホルダ２０に対して一の方向に摺動可能となっており、また、少なくとも一部においてミラーホルダ２０に対して固定可能となっている。また、保持部材４０は、複数の保持部材である上側保持部材５０、下側保持部材６０、左側保持部材７０及び右側保持部材８０を有しており、保持部材４０の一部は夫々、複数の保持部材である上側保持部材５０、下側保持部材６０、左側保持部材７０及び右側保持部材８０の１つである。具体的には、保持部材４０は、上側収容凹部２４に収容される上側保持部材５０と、下側収容凹部２５に収容される下側保持部材６０と、左側収容凹部３０に収容される左側保持部材７０と、右側収容凹部３１に収容される右側保持部材８０とを有している。上側保持部材５０、下側保持部材６０、左側保持部材７０及び右側保持部材８０の短手方向（矢印ａｂ方向）及び長手方向（矢印ｃｄ方向）における長さは、夫々上側収容凹部２４、下側収容凹部２５、左側収容凹部３０及び右側収容凹部３１の短手方向（矢印ａｂ方向）及び長手方向（矢印ｃｄ方向）における長さと同一又は略同一の長さとなっている。
【００３５】
図９は、ミラーユニット１の上側保持部材５０の構成を概略的に示す拡大分解斜視図である。図１〜４及び７〜９に示すように、ミラーユニット１において、上側保持部材５０は、矩形状又は略矩形状の板状部材であり、反射鏡１０に対向する面である対向面５０ａが反射鏡１０と同一又は略同一の方向に凹んでいる。つまり、上側保持部材５０の対向面５０ａは、反射鏡１０と同一又は略同一の曲率を有する曲面である。上側保持部材５０の対向面５０ａには、対向面５０ａの上縁から矩形板状又は略矩形板状の上側壁部５１が立設されている。上側壁部５１の短手方向（矢印ａｂ方向）及び長手方向（矢印ｃｄ方向）における長さは、反射鏡１０の上側切り欠き部１３ａの短手方向（矢印ａｂ方向）及び長手方向（矢印ｃｄ方向）における長さと同一又は略同一の長さとなっており、上側壁部５１は、上側切り欠き部１３ａと嵌合するようになっている。上側壁部５１の先端部分には、上側壁部５１の反射鏡１０に対向する面である対向面５１ａから下側に向かって矩形板状又は略矩形板状の上側爪部５２が立設されている。上側爪部５２の長手方向（矢印ｃｄ方向）における長さは、上側壁部５１の長手方向（矢印ｃｄ方向）における長さよりも小さくなっている。
【００３６】
上側保持部材５０の対向面５０ａに背向する面である背向面５０ｂの中央又は略中央には、上側収容凹部２４の貫通孔２４ｂに対応する位置に、ねじ溝孔５０ｃが形成されている。上側保持部材５０は、上側収容凹部２４の貫通孔２４ｂに挿通されたねじ３６ａがねじ溝孔５０ｃに螺合されることにより、ミラーホルダ２０に短手方向（矢印ａｂ方向）と平行又は略平行に摺動可能に固定されるようになっている。上側保持部材５０の背向面５０ｂには、上側収容凹部２４の凸状部２４ｄ，２４ｅに対応する位置に、上側保持部材５０の下側の壁面である下側壁面５０ｄから上側に向かって延びる２つの凹状部５０ｅ，５０ｆが形成されている。凹状部５０ｅ，５０ｆは、短手方向（矢印ａｂ方向）と平行又は略平行に延びる凹状溝であり、凸状部２４ｄ，２４ｅと摺動可能に嵌合するようになっている。上側保持部材５０のねじ溝孔５０ｃの上側には、上側爪部５２に対応する位置に、対向面５０ａと背向面５０ｂとの間で上側保持部材５０を貫通した矩形状又は略矩形状の貫通孔５０ｇが形成されている。貫通孔５０ｇの長手方向（矢印ｃｄ方向）における長さは、上側爪部５２の長手方向（矢印ｃｄ方向）における長さと同一又は略同一の長さとなっている。上側保持部材５０の背向面５０ｂにおける貫通孔５０ｇの左側及び右側には、ねじ溝孔５０ｈ，５０ｉが形成されている。
【００３７】
上側保持部材５０の背向面５０ｂのねじ溝孔５０ｃの上側には、上側反射鏡固定部５３が分離可能に設けられている。上側反射鏡固定部５３は、矩形板状又は略矩形板状の上側反射鏡固定部基体５４と、上側反射鏡固定部基体５４の上側保持部材５０と対向する面である対向面５４ａの中央又は略中央に立設された四角柱状又は略四角柱状の上側反射鏡押圧部５５とを有している。上側反射鏡押圧部５５の頂面には、反射鏡１０との密着性を向上するための上側パッド部５６が全面に貼り付けられている。上側反射鏡押圧部５５の短手方向（矢印ａｂ方向）及び長手方向（矢印ｃｄ方向）における長さは、貫通孔５０ｇの短手方向（矢印ａｂ方向）及び長手方向（矢印ｃｄ方向）における長さと同一又は略同一の長さとなっており、上側反射鏡押圧部５５は、貫通孔５０ｇを挿通可能となっている。上側反射鏡押圧部５５の高さは、貫通孔５０ｇの深さよりも高くなっており、上側反射鏡押圧部５５は、上側保持部材５０の対向面５０ａから突出するようになっている。
【００３８】
上側反射鏡固定部基体５４の対向面５４ａに背向する面である背向面５４ｂと上側保持部材５０の背向面５０ｂとは面一となっている。上側反射鏡固定部基体５４における上側反射鏡押圧部５５の左側及び右側には、上側保持部材５０のねじ溝孔５０ｈ，５０ｉに対応する位置に、貫通孔５４ｃ、５４ｄが形成されている。反射鏡１０は、上側切り欠き部１３ａに上側壁部５１が嵌合し、上側爪部５２及び貫通孔５０ｇを挿通した上側反射鏡押圧部５５に挟まれて、貫通孔５４ｃ、５４ｄに挿通されたねじ５７ａ、５７ｂがねじ溝孔５０ｈ，５０ｉに螺合されることにより、上側爪部５２と上側反射鏡押圧部５５との間に挟持されて固定されるようになっている。
【００３９】
図１０は、ミラーユニット１の下側保持部材６０の構成を概略的に示す拡大分解斜視図である。図１〜４，７，８及び１０に示すように、ミラーユニット１において、下側保持部材６０は、矩形状又は略矩形状の板状部材であり、反射鏡１０に対向する面である対向面６０ａが反射鏡１０と同一又は略同一の方向に凹んでいる。つまり、下側保持部材６０の対向面６０ａは、反射鏡１０と同一又は略同一の曲率を有する曲面である。下側保持部材６０の対向面６０ａには、対向面６０ａの下縁から矩形板状又は略矩形板状の下側壁部６１が立設されている。下側壁部６１の短手方向（矢印ａｂ方向）及び長手方向（矢印ｃｄ方向）における長さは、反射鏡１０の下側切り欠き部１４ａの短手方向（矢印ａｂ方向）及び長手方向（矢印ｃｄ方向）における長さと同一又は略同一の長さとなっており、下側壁部６１は、下側切り欠き部１４ａと嵌合するようになっている。下側壁部６１の先端部分には、下側壁部６１の反射鏡１０に対向する面である対向面６１ａから上側に向かって矩形板状又は略矩形板状の下側爪部６２が立設されている。下側爪部６２の長手方向（矢印ｃｄ方向）における長さは、下側壁部６１の長手方向（矢印ｃｄ方向）における長さよりも小さくなっている。
【００４０】
下側保持部材６０の対向面６０ａに背向する面である背向面６０ｂの中央又は略中央には、下側収容凹部２５の貫通孔２５ｂに対応する位置に、ねじ溝孔６０ｃが形成されている。下側保持部材６０は、下側収容凹部２５の貫通孔２５ｂに挿通されたねじ３６ｂがねじ溝孔６０ｃに螺合されることにより、ミラーホルダ２０に短手方向（矢印ａｂ方向）と平行又は略平行に摺動可能に固定されるようになっている。下側保持部材６０の背向面６０ｂには、下側収容凹部２５の凸状部２５ｄ，２５ｅに対応する位置に、下側保持部材６０の上側の壁面である上側壁面６０ｄから下側に向かって延びる２つの凹状部６０ｅ，６０ｆが形成されている。凹状部６０ｅ，６０ｆは、短手方向（矢印ａｂ方向）と平行又は略平行に延びる凹状溝であり、凸状部２５ｄ，２５ｅと摺動可能に嵌合するようになっている。下側保持部材６０のねじ溝孔６０ｃの下側には、下側爪部６２に対応する位置に、対向面６０ａと背向面６０ｂとの間で下側保持部材６０を貫通した矩形状又は略矩形状の貫通孔６０ｇが形成されている。貫通孔６０ｇの長手方向（矢印ｃｄ方向）における長さは、下側爪部６２の長手方向（矢印ｃｄ方向）における長さと同一又は略同一の長さとなっている。下側保持部材６０の背向面６０ｂにおける貫通孔６０ｇの左側及び右側には、ねじ溝孔６０ｈ，６０ｉが形成されている。
【００４１】
下側保持部材６０の背向面６０ｂのねじ溝孔６０ｃの下側には、下側反射鏡固定部６３が分離可能に設けられている。下側反射鏡固定部６３は、矩形板状又は略矩形板状の下側反射鏡固定部基体６４と、下側反射鏡固定部基体６４と対向する面である対向面６４ａの中央又は略中央に立設された四角柱状又は略四角柱状の下側反射鏡押圧部６５とを有している。下側反射鏡押圧部６５の頂面には、反射鏡１０との密着性を向上するための下側パッド部６６が全面に貼り付けられている。下側反射鏡押圧部６５の短手方向（矢印ａｂ方向）及び長手方向（矢印ｃｄ方向）における長さは、貫通孔６０ｇの短手方向（矢印ａｂ方向）及び長手方向（矢印ｃｄ方向）における長さと同一又は略同一の長さとなっており、下側反射鏡押圧部６５は、貫通孔６０ｇを挿通可能となっている。下側反射鏡押圧部６５の高さは、貫通孔６０ｇの深さよりも高くなっており、下側反射鏡押圧部６５は、下側保持部材６０の対向面６０ａから突出するようになっている。
【００４２】
下側反射鏡固定部基体６４の対向面６４ａに背向する面である背向面６４ｂと下側保持部材６０の背向面６０ｂとは面一となっている。下側反射鏡固定部基体６４における下側反射鏡押圧部６５の左側及び右側には、下側保持部材６０のねじ溝孔６０ｈ，６０ｉに対応する位置に、貫通孔６４ｃ、６４ｄが形成されている。反射鏡１０は、下側切り欠き部１４ａに下側壁部６１が嵌合し、下側爪部６２及び貫通孔６０ｇを挿通した下側反射鏡押圧部６５に挟まれて、貫通孔６４ｃ、６４ｄに挿通されたねじ６７ａ、６７ｂがねじ溝孔６０ｈ，６０ｉに螺合されることにより、下側爪部６２と下側反射鏡押圧部６５との間に挟持されて固定されるようになっている。
【００４３】
また、下側保持部材６０には、上側壁面６０ｄの中央又は略中央から上側に向かって延びる位置決め用突出部６８が連結されている。下側保持部材６０と位置決め用突出部６８とは、一体に形成されている。また、位置決め用突出部６８は、所定の幅を有している。位置決め用突出部６８の上側部分には、反射鏡１０とミラーホルダ２０とを位置決めするための下側保持部材６０の係合部としての位置決め用孔６９が設けられている。位置決め用孔６９の直径は、位置決め用突起２７の直径よりも小さくなっており、位置決め用孔６９と位置決め用突起２７とは、しまり嵌めされるようになっている。位置決め用孔６９は、反射鏡１０の光軸中心となる位置に設けられている。
【００４４】
図１１は、ミラーユニット１の左側保持部材７０の構成を概略的に示す拡大分解斜視図である。図１〜４，７，８及び１１に示すように、ミラーユニット１において、左側保持部材７０は、矩形状又は略矩形状の板状部材であり、反射鏡１０に対向する面である対向面７０ａが反射鏡１０と同一又は略同一の方向に凹んでいる。つまり、左側保持部材７０の対向面７０ａは、反射鏡１０と同一又は略同一の曲率を有する曲面である。左側保持部材７０の対向面７０ａには、対向面７０ａの左縁から矩形板状又は略矩形板状の左側壁部７１が立設されている。左側壁部７１の短手方向（矢印ａｂ方向）及び長手方向（矢印ｃｄ方向）における長さは、反射鏡１０の左側切り欠き部１５ａの短手方向（矢印ａｂ方向）及び長手方向（矢印ｃｄ方向）における長さと同一又は略同一の長さとなっており、左側壁部７１は、左側切り欠き部１５ａと嵌合するようになっている。左側壁部７１の先端部分には、左側壁部７１の反射鏡１０に対向する面である対向面７１ａから右側に向かって矩形板状又は略矩形板状の左側爪部７２が立設されている。左側爪部７２の短手方向（矢印ａｂ方向）における長さは、左側壁部７１の短手方向（矢印ａｂ方向）における長さよりも小さくなっている。
【００４５】
左側保持部材７０の対向面７０ａに背向する面である背向面７０ｂの中央又は略中央には、左側収容凹部３０の貫通孔３０ｂ，３０ｃに対応する位置に、ねじ溝孔７０ｃ，７０ｄが形成されている。左側保持部材７０は、左側収容凹部３０の貫通孔３０ｂ，３０ｃに挿通されたねじ３６ｃ，３６ｄがねじ溝孔７０ｃ，７０ｄに螺合されることにより、ミラーホルダ２０に長手方向（矢印ｃｄ方向）と平行又は略平行に摺動可能に固定されるようになっている。左側保持部材７０の背向面７０ｂには、左側収容凹部３０の凸状部３０ｅに対応する位置に、左側保持部材７０の右側の壁面である右側壁面７０ｅから左側に向かって延びる凹状部７０ｆが形成されている。凹状部７０ｆは、長手方向（矢印ｃｄ方向）と平行又は略平行に延びる凹状溝であり、凸状部３０ｅと摺動可能に嵌合するようになっている。左側保持部材７０のねじ溝孔７０ｃ，７０ｄの左側には、左側爪部７２に対応する位置に、対向面７０ａと背向面７０ｂとの間で左側保持部材７０を貫通した矩形状又は略矩形状の貫通孔７０ｇが形成されている。貫通孔７０ｇの短手方向（矢印ａｂ方向）における長さは、左側爪部７２の短手方向（矢印ａｂ方向）における長さと同一又は略同一の長さとなっている。左側保持部材７０の背向面７０ｂにおける貫通孔７０ｇの左側及び右側には、ねじ溝孔７０ｈ，７０ｉが形成されている。
【００４６】
左側保持部材７０の背向面７０ｂのねじ溝孔７０ｃ，７０ｄの左側には、左側反射鏡固定部７３が分離可能に設けられている。左側反射鏡固定部７３は、矩形板状又は略矩形板状の左側反射鏡固定部基体７４と、左側反射鏡固定部基体７４と対向する面である対向面７４ａの中央又は略中央に立設された四角柱状又は略四角柱状の左側反射鏡押圧部７５とを有している。左側反射鏡押圧部７５の頂面には、反射鏡１０との密着性を向上するための左側パッド部７６が全面に貼り付けられている。左側反射鏡押圧部７５の短手方向（矢印ａｂ方向）及び長手方向（矢印ｃｄ方向）における長さは、貫通孔７０ｇの短手方向（矢印ａｂ方向）及び長手方向（矢印ｃｄ方向）における長さと同一又は略同一の長さとなっており、左側反射鏡押圧部７５は、貫通孔７０ｇを挿通可能となっている。左側反射鏡押圧部７５の高さは、貫通孔７０ｇの深さよりも高くなっており、左側反射鏡押圧部７５は、左側保持部材７０の対向面７０ａから突出するようになっている。
【００４７】
左側反射鏡固定部基体７４の対向面７４ａに背向する面である背向面７４ｂと左側保持部材７０の背向面７０ｂとは面一となっている。左側反射鏡固定部基体７４の背向面７０ｂには、凹状部７０ｆの一部が形成されている。左側反射鏡固定部基体７４における左側反射鏡押圧部７５の左側及び右側には、左側保持部材７０のねじ溝孔７０ｈ，７０ｉに対応する位置に、貫通孔７４ｃ、７４ｄが形成されている。反射鏡１０は、左側切り欠き部１５ａに左側壁部７１が嵌合し、左側爪部７２及び貫通孔７０ｇを挿通した左側反射鏡押圧部７５に挟まれて、貫通孔７４ｃ、７４ｄに挿通されたねじ７７ａ、７７ｂがねじ溝孔７０ｈ，７０ｉに螺合されることにより、左側爪部７２と左側反射鏡押圧部７５との間に挟持されて固定されるようになっている。
【００４８】
図１２は、ミラーユニット１の右側保持部材８０の構成を概略的に示す拡大分解斜視図である。図１〜４，７，８及び１２に示すように、ミラーユニット１において、右側保持部材８０は、矩形状又は略矩形状の板状部材であり、反射鏡１０に対向する面である対向面８０ａが反射鏡１０と同一又は略同一の方向に凹んでいる。つまり、右側保持部材８０の対向面８０ａは、反射鏡１０と同一又は略同一の曲率を有する曲面である。右側保持部材８０の対向面８０ａには、対向面８０ａの右縁から矩形板状又は略矩形板状の右側壁部８１が立設されている。右側壁部８１の短手方向（矢印ａｂ方向）及び長手方向（矢印ｃｄ方向）における長さは、反射鏡１０の右側切り欠き部１６ａの短手方向（矢印ａｂ方向）及び長手方向（矢印ｃｄ方向）における長さと同一又は略同一の長さとなっており、右側壁部８１は、右側切り欠き部１６ａと嵌合するようになっている。右側壁部８１の先端部分には、右側壁部８１の反射鏡１０に対向する面である対向面８１ａから左側に向かって矩形板状又は略矩形板状の右側爪部８２が立設されている。右側爪部８２の短手方向（矢印ａｂ方向）における長さは、右側壁部８１の短手方向（矢印ａｂ方向）における長さよりも小さくなっている。
【００４９】
右側保持部材８０の対向面８０ａに背向する面である背向面８０ｂの中央又は略中央には、右側収容凹部３１の貫通孔３１ｂ，３１ｃに対応する位置に、ねじ溝孔８０ｃ，８０ｄが形成されている。右側保持部材８０は、右側収容凹部３１の貫通孔３１ｂ，３１ｃに挿通されたねじ３６ｅ，３６ｆがねじ溝孔８０ｃ，８０ｄに螺合されることにより、ミラーホルダ２０に長手方向（矢印ｃｄ方向）と平行又は略平行に摺動可能に固定されるようになっている。右側保持部材８０の背向面８０ｂには、右側収容凹部３１の凸状部３１ｅに対応する位置に、右側保持部材８０の左側の壁面である左側壁面８０ｅから右側に向かって延びる凹状部８０ｆが形成されている。凹状部８０ｆは、長手方向（矢印ｃｄ方向）と平行又は略平行に延びる凹状溝であり、凸状部３１ｅと摺動可能に嵌合するようになっている。右側保持部材８０のねじ溝孔８０ｃ，８０ｄの右側には、右側爪部８２に対応する位置に、対向面８０ａと背向面８０ｂとの間で右側保持部材８０を貫通した矩形状又は略矩形状の貫通孔８０ｇが形成されている。貫通孔８０ｇの短手方向（矢印ａｂ方向）における長さは、右側爪部８２の短手方向（矢印ａｂ方向）における長さと同一又は略同一の長さとなっている。右側保持部材８０の背向面８０ｂにおける貫通孔８０ｇの左側及び右側には、ねじ溝孔８０ｈ，８０ｉが形成されている。
【００５０】
右側保持部材８０の背向面８０ｂのねじ溝孔８０ｃ，８０ｄの右側には、右側反射鏡固定部８３が分離可能に設けられている。右側反射鏡固定部８３は、矩形板状又は略矩形板状の右側反射鏡固定部基体８４と、右側反射鏡固定部基体８４と対向する面である対向面８４ａの中央又は略中央に立設された四角柱状又は略四角柱状の右側反射鏡押圧部８５とを有している。右側反射鏡押圧部８５の頂面には、反射鏡１０との密着性を向上するための右側パッド部８６が全面に貼り付けられている。右側反射鏡押圧部８５の短手方向（矢印ａｂ方向）及び長手方向（矢印ｃｄ方向）における長さは、貫通孔８０ｇの短手方向（矢印ａｂ方向）及び長手方向（矢印ｃｄ方向）における長さと同一又は略同一の長さとなっており、右側反射鏡押圧部８５は、貫通孔８０ｇを挿通可能となっている。右側反射鏡押圧部８５の高さは、貫通孔８０ｇの深さよりも高くなっており、右側反射鏡押圧部８５は、右側保持部材８０の対向面８０ａから突出するようになっている。
【００５１】
右側反射鏡固定部基体８４の対向面８４ａに背向する面である背向面８４ｂと右側保持部材８０の背向面８０ｂとは面一となっている。右側反射鏡固定部基体８４の背向面８０ｂには、凹状部８０ｆの一部が形成されている。右側反射鏡固定部基体８４における右側反射鏡押圧部８５の左側及び右側には、右側保持部材８０のねじ溝孔８０ｈ，８０ｉに対応する位置に、貫通孔８４ｃ、８４ｄが形成されている。反射鏡１０は、右側切り欠き部１６ａに右側壁部８１が嵌合し、右側爪部８２及び貫通孔８０ｇを挿通した右側反射鏡押圧部８５に挟まれて、貫通孔８４ｃ、８４ｄに挿通されたねじ８７ａ、８７ｂがねじ溝孔８０ｈ，８０ｉに螺合されることにより、右側爪部８２と右側反射鏡押圧部８５との間に挟持されて固定されるようになっている。
【００５２】
続いて、上述した構成を有するミラーユニット１の組み立て方法について説明する。図１３〜１５は、ミラーユニット１の組み立て方法を説明するための図である。まず、図１３に示すように、上側保持部材５０の上側壁部５１は、上側爪部５２が反射鏡１０の反射面１０ａと接触するように、反射鏡１０の上側切り欠き部１３ａに嵌め込まれる。また、同様に、下側保持部材６０の下側壁部６１、左側保持部材７０の左側壁部７１及び右側保持部材８０の右側壁部８１は、下側爪部６２、左側爪部７２及び右側爪部８２が夫々反射鏡１０の反射面１０ａと接触するように、夫々反射鏡１０の下側切り欠き部１４ａ、左側切り欠き部１５ａ及び右側切り欠き部１６ａに嵌め込まれる。下側保持部材６０の下側壁部６１が下側切り欠き部１４ａに嵌め込まれると、下側保持部材６０の位置決め用孔６９が、反射鏡１０の光軸中心に位置するようになっている。
【００５３】
上側壁部５１が上側切り欠き部１３ａに嵌め込まれると、図１４に示すように、上側反射鏡固定部５３の上側反射鏡押圧部５５は、上側保持部材５０の貫通孔５０ｇに挿通され、反射鏡１０は、上側爪部５２及び貫通孔５０ｇを挿通した上側反射鏡押圧部５５に挟まれて、貫通孔５４ｃ，５４ｄに挿通されたねじ５７ａ，５７ｂは、ねじ溝孔５０ｈ，５０ｉに螺合される。これにより、反射鏡１０は、上側爪部５２と上側反射鏡押圧部５５との間に挟持されて固定される。また、同様に、下側爪部６２、左側爪部７２及び右側爪部８２が夫々反射鏡１０の下側切り欠き部１４ａ、左側切り欠き部１５ａ及び右側切り欠き部１６ａに嵌め込まれると、下側反射鏡押圧部６５、左側反射鏡押圧部７５及び右側反射鏡押圧部８５は、夫々貫通孔６０ｇ，７０ｇ，８０ｇに挿通され、反射鏡１０は、夫々下側爪部６２及び下側反射鏡押圧部６５、左側爪部７２及び左側反射鏡押圧部７５並びに右側爪部８２及び右側反射鏡押圧部８５に挟まれる。そして、貫通孔６４ｃ，６４ｄ，７４ｃ，７４ｄ，８４ｃ，８４ｄに夫々挿通されたねじ６７ａ，６７ｂ，７７ａ，７７ｂ，８７ａ，８７ｂは、夫々ねじ溝孔６０ｈ，６０ｉ，７０ｈ，７０ｉ，８０ｈ，８０ｉに螺合される。これにより、反射鏡１０は、下側爪部６２と下側反射鏡押圧部６５との間、左側爪部７２と左側反射鏡押圧部７５との間、右側爪部８２と右側反射鏡押圧部８５との間に夫々挟持されて固定される。
【００５４】
反射鏡１０が上側爪部５２と上側反射鏡押圧部５５との間に挟持されて固定されると、図１５に示すように、上側収容凹部２４の貫通孔２４ｂに挿通されたねじ３６ａは、上側保持部材５０のねじ溝孔５０ｃに螺合される。これにより、上側保持部材５０の凹状部５０ｅ，５０ｆは、上側収容凹部２４の凸状部２４ｄ，２４ｅと摺動可能に嵌合され、上側保持部材５０は、ミラーホルダ２０に短手方向（矢印ａｂ方向）と平行又は略平行に摺動可能に固定される。また、同様に、反射鏡１０が、下側爪部６２と下側反射鏡押圧部６５との間、左側爪部７２と左側反射鏡押圧部７５との間、右側爪部８２と右側反射鏡押圧部８５との間に夫々挟持されて固定されると、ねじ３６ｂ，３６ｃ，３６ｄ，３６ｅ、３６ｆは、ねじ溝孔６０ｃ，７０ｃ，７０ｄ，８０ｃ，８０ｄに夫々螺合される。
【００５５】
これにより、下側保持部材６０の凹状部６０ｅ，６０ｆは、下側収容凹部２５の凸状部２５ｄ，２５ｅと摺動可能に嵌合され、下側保持部材６０は、ミラーホルダ２０に短手方向（矢印ａｂ方向）と平行又は略平行に摺動可能に固定される。また、下側保持部材６０の位置決め用孔６９と位置決め凹部２６の位置決め用突起２７とがしまり嵌めされ、位置決め用突起２７が反射鏡１０の光軸中心に取り付けられ、反射鏡１０とミラーホルダ２０とが所望の位置に位置決めされる。また、これにより、左側保持部材７０の凹状部７０ｆ及び右側保持部材８０の凹状部８０ｆは、夫々左側収容凹部３０の凸状部３０ｅ及び右側収容凹部３１の凸状部３１ｅと摺動可能に嵌合され、左側保持部材７０及び右側保持部材８０は、ミラーホルダ２０に長手方向（矢印ｃｄ方向）と平行又は略平行に摺動可能に固定される。
【００５６】
このように、本発明の第１の実施の形態に係るミラーユニット１では、反射鏡１０と、反射鏡１０よりも線膨張係数の大きい材質で形成されており、反射鏡１０を支持するミラーホルダ２０と、ミラーホルダ２０に固定されて反射鏡１０を保持する少なくとも１つの保持部材４０とを備えており、保持部材４０は、ミラーホルダ２０に対して摺動可能となっている。このため、車外の温度環境の変化や太陽光の照射による高温化等により温度変化が大きくなった場合であっても、保持部材４０がミラーホルダ２０に対して摺動することで反射鏡１０の形状寸法変化を吸収して、反射鏡１０とミラーホルダ２０との線膨張係数の差異によって反射鏡１０とミラーホルダ２０との保持状態が解除されたり、反射鏡１０に応力が加わり反射鏡１０が歪んでしまうのを防止することができ、反射鏡１０を所望の位置に保持することができる。
【００５７】
また、ミラーユニット１では、上側保持部材５０、下側保持部材６０、左側保持部材７０及び右側保持部材８０を有しており、ミラーホルダ２０及び下側保持部材６０には、反射鏡１０とミラーホルダ２０とを位置決めするように、ミラーホルダ２０と下側保持部材６０とを係合する係合部としての位置決め用突起２７及び位置決め用孔６９が設けられている。位置決め用突起２７は、ミラーホルダ２０の中心部分に設けられており、位置決め用孔６９は、位置決め用突起２７に嵌合するようになっている。このため、ミラーホルダ２０と下側保持部材６０とを所望の位置に位置決めすることができ、反射鏡１０とミラーホルダ２０とを所望の位置に位置決めすることができる。
【００５８】
また、ミラーユニット１では、ミラーホルダ２０の上側収容凹部２４に凸状部２４ｄ，２４ｅ、下側収容凹部２５に凸状部２５ｄ，２５ｅ、左側収容凹部３０に凸状部３０ｅ、右側収容凹部３１に凸状部３１ｅが夫々設けられている。また、上側収容凹部２４の凸状部２４ｄ，２４ｅ、下側収容凹部２５の凸状部２５ｄ，２５ｅ、左側収容凹部３０の凸状部３０ｅ、右側収容凹部３１の凸状部３１ｅと対向する位置に、上側保持部材５０の凹状部５０ｅ，５０ｆ、下側保持部材６０の凹状部６０ｅ，６０ｆ、左側保持部材７０の凹状部７０ｆ、右側保持部材８０の凹状部８０ｆが摺動可能に嵌合されている。このため、車外の温度環境の変化や太陽光の照射による高温化等により温度変化が大きくなった場合であっても、上側保持部材５０及び下側保持部材６０がミラーホルダ２０に短手方向（矢印ａｂ方向）と平行又は略平行に摺動し、左側保持部材７０及び右側保持部材８０がミラーホルダ２０に長手方向（矢印ｃｄ方向）と平行又は略平行に摺動することで反射鏡１０の形状寸法変化を吸収して、反射鏡１０を所望の位置に保持することができる。
【００５９】
また、ミラーユニット１では、反射鏡１０が上側保持部材５０、下側保持部材６０、左側保持部材７０及び右側保持部材８０に挟持されて固定されている。このため、反射鏡１０にミラーホルダ２０への固定用凸部等を設けることなく反射鏡１０とミラーホルダ２０とを固定することができる。
【００６０】
このように、本発明の第１の実施の形態に係るミラーユニット１によれば、温度変化に拘わらず反射鏡１０を所望の位置に保持することができる。
【００６１】
次に、本発明の第２の実施の形態に係るミラーユニット９０の構成を説明する。図１６は、本発明の第２の実施の形態に係るミラーユニット９０の構成を概略的に示す斜視図であり、図１７は、ミラーユニット９０の反射鏡１０及び保持部材１００の構成を概略的に示す分解斜視図である。以下、上述の第１の実施の形態に係るミラーユニット１と同一の又は類似する構成に対しては同一の符号を付してその説明を省略し、異なる構成についてのみ説明する。本発明の第２の実施の形態に係るミラーユニット９０は、上述の本発明の第１の実施の形態に係るミラーユニット１に対して保持部材の構成が異なる。具体的には、ミラーユニット９０において、保持部材４０に代えて保持部材１００が設けられている。
【００６２】
図１６〜１７に示すように、ミラーユニット９０において、保持部材１００は、反射鏡１０に接着されて反射鏡１０に固定されている。保持部材１００と反射鏡１０との接着方法については、例えば、ウレタン系やシリコン系の接着剤を用いてもよく、保持部材１００と反射鏡１０とを架橋接着してもよい。保持部材１００は、上側収容凹部２４に収容される上側保持部材１１０と、下側収容凹部２５に収容される下側保持部材１２０と、左側収容凹部３０に収容される左側保持部材１３０と、右側収容凹部３１に収容される右側保持部材１４０とを有している。上側保持部材１１０は、上側爪部５２、上側反射鏡固定部５３、貫通孔５０ｇ及びねじ溝孔５０ｈ，５０ｉを有していない。上側保持部材１１０の反射鏡１０と対向する面である対向面１１０ａには、接着剤１１１が塗布されている。また、同様に、下側保持部材１２０、左側保持部材１３０及び右側保持部材１４０は、夫々下側爪部６２、左側爪部７２、右側爪部８２、下側反射鏡固定部６３、左側反射鏡固定部７３、右側反射鏡固定部８３、貫通孔６０ｇ，７０ｇ，８０ｇ及びねじ溝孔６０ｈ，６０ｉ，７０ｈ，７０ｉ，８０ｈ，８０ｉを有していない。下側保持部材１２０、左側保持部材１３０及び右側保持部材１４０の反射鏡１０と対向する面である対向面１２０ａ，１３０ａ，１４０ａには、夫々接着剤１２１，１３１，１４１が塗布されている。
【００６３】
続いて、上述した構成を有するミラーユニット９０の組み立て方法について説明する。上側保持部材１１０の上側壁部５１は、接着剤１１１が反射鏡１０の対向面１０ｂと接触するように、反射鏡１０の上側切り欠き部１３ａに嵌め込まれる。そして、上側保持部材１１０は、図示しない治具により固定されて加圧される。これにより、反射鏡１０は、上側保持部材１１０に接着されて固定される。また、同様に、下側保持部材１２０の下側壁部６１、左側保持部材１３０の左側壁部７１及び右側保持部材１４０の右側壁部８１は、接着剤１２１，１３１，１４１が夫々反射鏡１０の対向面１０ｂと接触するように、夫々反射鏡１０の下側切り欠き部１４ａ、左側切り欠き部１５ａ及び右側切り欠き部１６ａに嵌め込まれる。そして、下側保持部材１２０、左側保持部材１３０及び右側保持部材１４０は、図示しない治具により固定されて加圧される。これにより、反射鏡１０は、下側保持部材１２０、左側保持部材１３０及び右側保持部材１４０に接着されて固定される。
【００６４】
このように、本発明の第２の実施の形態に係るミラーユニット９０では、反射鏡１０が上側保持部材１１０、下側保持部材１２０、左側保持部材１３０及び右側保持部材１４０に接着されて固定されている。このため、反射鏡１０にミラーホルダ２０への固定用凸部等を設けることなく反射鏡１０とミラーホルダ２０とを固定することができ、また、上側爪部５２、下側爪部６２、左側爪部７２、右側爪部８２を設けることなく反射鏡１０を固定することで、反射鏡１０の反射面１０ａにおいてヘッドアップディスプレイの表示ユニットから発せられる表示光の受光面を更に広くすることができる。
【００６５】
次に、本発明の第３の実施の形態に係るミラーユニット１５０の構成を説明する。図１８は、本発明の第３の実施の形態に係るミラーユニット１５０の構成を概略的に示す斜視図であり、図１９は、ミラーユニット１５０の反射鏡１６０及び保持部材１７０の構成を概略的に示す拡大斜視図である。図２０は、ミラーユニット１の反射鏡１６０及び保持部材１７０の構成を概略的に示す拡大分解斜視図である。以下、上述の第１の実施の形態に係るミラーユニット１と同一の又は類似する構成に対しては同一の符号を付してその説明を省略し、異なる構成についてのみ説明する。本発明の第３の実施の形態に係るミラーユニット１５０は、上述の本発明の第１の実施の形態に係るミラーユニット１に対して反射鏡及び保持部材の構成が異なる。具体的には、ミラーユニット１５０において、反射鏡１０に代えて反射鏡１６０が設けられており、保持部材４０に代えて保持部材１７０が設けられている。
【００６６】
図１８〜２０に示すように、ミラーユニット１５０において、反射鏡１６０の上側切り欠き部１３ａの中央又は略中央には、矩形板状又は略矩形板状の上側ワイヤ固定凸部１６１が設けられている。また、同様に、反射鏡１６０の下側切り欠き部１４ａ、左側切り欠き部１５ａ及び右側切り欠き部１６ａの中央又は略中央には、夫々矩形板状又は略矩形板状の下側ワイヤ固定凸部１６２、左側ワイヤ固定凸部１６３及び右側ワイヤ固定凸部１６４が設けられている。
【００６７】
ミラーユニット１５０において、保持部材１７０は、反射鏡１０にワイヤ固定されて反射鏡１０に固定されている。保持部材１７０は、上側収容凹部２４に収容される上側保持部材１８０と、下側収容凹部２５に収容される下側保持部材１９０と、左側収容凹部３０に収容される左側保持部材２００と、右側収容凹部３１に収容される右側保持部材２１０とを有している。上側保持部材１８０は、上側爪部５２及び貫通孔５０ｇを有しておらず、ねじ溝孔５０ｈ，５０ｉに代えて、貫通孔１８０ｈ，１８０ｉを有しており、上側壁部１８１及び上側反射鏡固定部１８２の構成が異なる。また、同様に、下側保持部材１９０、左側保持部材２００及び右側保持部材２１０は、夫々下側爪部６２、左側爪部７２、右側爪部８２及び貫通孔６０ｇ，７０ｇ，８０ｇを有しておらず、ねじ溝孔６０ｈ，６０ｉ，７０ｈ，７０ｉ，８０ｈ，８０ｉに代えて、貫通孔１９０ｈ，１９０ｉ，２００ｈ，２００ｉ，２１０ｈ，２１０ｉを有しており、下側壁部１９１及び下側反射鏡固定部１９２、左側壁部２０１及び左側反射鏡固定部２０２、右側壁部２１１及び右側反射鏡固定部２１２の構成が異なる。
【００６８】
図１９，２０に示すように、右側保持部材２１０において、右側壁部２１１は、中央又は略中央が切り欠かれており、右側壁部２１１の切り欠き部分に断面Ｌ字状又は断面略Ｌ字状の右側反射鏡固定部２１２が嵌め込まれるようになっている。右側反射鏡固定部２１２は、右側保持部材２１０の貫通孔２１０ｈ，２１０ｉに対応する位置に、ねじ溝孔２１３ａ，２１３ｂが形成された右側反射鏡固定部基体２１３と、右側ワイヤ固定凸部１６４を挿通するための貫通孔２１４ａが形成された右側反射鏡固定部壁部２１４とを有している。右側反射鏡固定部基体２１３のねじ溝孔２１３ａ，２１３ｂには、夫々ブッシュナット２１５ａ，２１５ｂが設けられている。右側反射鏡固定部壁部２１４には、貫通孔２１４ａを取り囲むようにワイヤ通路２１４ｂが設けられており、ワイヤ通路２１４ｂには、ワイヤ２１６が挿通されるようになっている。ワイヤ２１６は、右側保持部材２１０の貫通孔２１０ｈ，２１０ｉに対応する位置に、ねじ８７ａ，８７ｂが挿通可能に形成されたワイヤ端２１６ａ、２１６ｂが設けられている。
【００６９】
上側保持部材１８０は、右側保持部材２１０と同様に、上側壁部１８１、上側反射鏡固定部１８２、上側反射鏡固定部基体１８３、上側反射鏡固定部壁部１８４、ブッシュナット１８５ａ，１８５ｂ及びワイヤ１８６を有している。また、下側保持部材１９０は、右側保持部材２１０と同様に、下側壁部１９１、下側反射鏡固定部１９２、下側反射鏡固定部基体１９３、下側反射鏡固定部壁部１９４、ブッシュナット１９５ａ，１９５ｂ及びワイヤ１９６を有している。また、左側保持部材２００は、右側保持部材２１０と同様に、左側壁部２０１、左側反射鏡固定部２０２、左側反射鏡固定部基体２０３、左側反射鏡固定部壁部２０４、ブッシュナット２０５ａ，２０５ｂ及びワイヤ２０６を有している。上側保持部材１８０、下側保持部材１９０及び左側保持部材２００の詳細な説明については、右側保持部材２１０と同様であるため、省略する。
【００７０】
続いて、上述した構成を有するミラーユニット１５０の組み立て方法について説明する。右側保持部材２１０の右側壁部２１１は、反射鏡１０の右側切り欠き部１６ａに嵌め込まれ、反射鏡１０の右側ワイヤ固定凸部１６４は、右側反射鏡固定部壁部２１４の貫通孔２１４ａに挿通される。右側壁部２１１が右側切り欠き部１６ａに嵌め込まれ、右側ワイヤ固定凸部１６４が貫通孔２１４ａに挿通されると、右側反射鏡固定部壁部２１４のワイヤ通路２１４ｂにワイヤ２１６が挿通され、貫通孔２１０ｈ，２１０ｉ、ワイヤ端２１６ａ、２１６ｂ、ブッシュナット２１５ａ、２１５ｂに挿通されたねじ８７ａ，８７ｂは、ねじ溝孔２１３ａ，２１３ｂに螺合される。これにより、反射鏡１０の右側ワイヤ固定凸部１６４は、ワイヤ２１６のテンションにより右側反射鏡固定部２１２に挟持されて固定される。上側保持部材１８０、下側保持部材１９０及び左側保持部材２００の詳細な説明については、右側保持部材２１０と同様であるため、省略する。
【００７１】
このように、本発明の第３の実施の形態に係るミラーユニット１５０では、反射鏡１０が上側保持部材１８０、下側保持部材１９０、左側保持部材２００及び右側保持部材２１０にワイヤ固定されている。このため、反射鏡１０にミラーホルダ２０への固定用凸部等を設けることなく反射鏡１０とミラーホルダ２０とを固定することができ、また、上側爪部５２、下側爪部６２、左側爪部７２、右側爪部８２を設けることなく反射鏡１０を固定することで、反射鏡１０の反射面１０ａにおいてヘッドアップディスプレイの表示ユニットから発せられる表示光の受光面を更に広くすることができる。
【００７２】
以上、本発明の実施の形態について説明したが、本発明は上記実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における、各構成要素の形状、材料、配置、サイズ等は、本発明の具体的使用態様によって適宜変更され得る。
【００７３】
例えば、第１の実施の形態のミラーユニット１として、保持部材４０が、上側保持部材５０と、下側保持部材６０と、左側保持部材７０と、右側保持部材８０とを有している場合を一例に本発明の実施の形態について説明したが、本発明はこれに限らず、反射鏡１０を保持する少なくとも１つの保持部材を有していればよい。
【００７４】
また、第１の実施の形態のミラーユニット１として、ミラーホルダ２０に位置決め用突起２７が設けられており、下側保持部材６０に位置決め用孔６９が形成されている場合を一例に本発明の実施の形態について説明したが、本発明はこれに限らず、ミラーホルダ２０に位置決め用孔６９が設けられており、下側保持部材６０に位置決め用突起２７が設けられていてもよく、ミラーホルダ２０と下側保持部材６０とが反射鏡１０の位置決めのために係合されていればよい。また、位置決め用孔６９は、上側保持部材５０に形成されていてもよく、ミラーホルダ２０と他の保持部材とが反射鏡１０の位置決めのために係合されていてもよい。また、位置決め用孔６９を有する位置決め用突出部６８は、保持部材４０とは別体の部材に設けられており、別体の部材において反射鏡１０を位置決めするようにしてもよく、この場合は、上側保持部材５０、下側保持部材６０、左側保持部材７０、右側保持部材８０のすべての保持部材がミラーホルダ２０に対して摺動可能とすることができる。
【００７５】
また、第１の実施の形態のミラーユニット１として、ミラーホルダ２０の上側収容凹部２４に凸状部２４ｄ，２４ｅが設けられており、上側収容凹部２４の凸状部２４ｄ，２４ｅと対向する位置に、上側保持部材５０の凹状部５０ｅ，５０ｆが設けられている場合を一例に本発明の実施の形態について説明したが、本発明はこれに限らず、上側収容凹部２４に凹状部５０ｅ，５０ｆが設けられており、上側保持部材５０に凸状部２４ｄ，２４ｅが設けられていてもよく、他の収容凹部及び保持部材についても上側収容凹部２４及び上側保持部材５０と同様に構成してもよい。
【００７６】
また、第１の実施の形態のミラーユニット１として、反射鏡１０に上側切り欠き部１３ａ、下側切り欠き部１４ａ、左側切り欠き部１５ａ及び右側切り欠き部１６ａが設けられている場合を一例に本発明の実施の形態について説明したが、本発明はこれに限らず、反射鏡１０に上側切り欠き部１３ａ、下側切り欠き部１４ａ、左側切り欠き部１５ａ及び右側切り欠き部１６ａを有していなくてもよい。この場合は、反射鏡１０の対向面１０ｂに保持部材４０を治具等により固定することで反射鏡１０を保持してもよく、種々の保持方法によって保持することができる。
【符号の説明】
【００７７】
１，９０，１５０…ミラーユニット、１０，１６０…反射鏡、１０ａ…反射面、１０ｂ…対向面、１１…反射膜、１２…クッション部材、１３…上側端部、１３ａ…上側切り欠き部、１４…下側端部、１４ａ…下側切り欠き部、１５…左側端部、１５ａ…左側切り欠き部、１６…右側端部、１６ａ…右側切り欠き部、２０…ミラーホルダ、２０ａ…対向面、２０ｂ…背向面、２１…クッション受け部、２２…上側端部、２３…下側端部、２４…上側収容凹部、２４ａ…底部、２４ｂ…貫通孔、２４ｃ…下側壁面、２４ｄ，２４ｅ…凸状部、２５…下側収容凹部、２５ａ…底部、２５ｂ…貫通孔、２５ｃ…上側壁面、２５ｄ，２５ｅ…凸状部、２６…位置決め凹部、２６ａ…底部、２７…位置決め用突起、２８…左側端部、２９…右側端部、３０…左側収容凹部、３０ａ…底部、３０ｂ，３０ｃ…貫通孔、３０ｄ…右側壁面、３０ｅ…凸状部、３１…右側収容凹部、３１ａ…底部、３１ｂ，３１ｃ…貫通孔、３１ｄ…左側壁面、３１ｅ…凸状部、３２，３３…平坦面、３４，３５…回転軸、３６ａ〜３６ｆ…ねじ、４０，１００，１７０…保持部材、５０，１１０，１８０…上側保持部材、５０ａ…対向面、５０ｂ…背向面、５０ｃ…ねじ溝孔、５０ｄ…下側壁面、５０ｅ，５０ｆ…凹状部、５０ｇ…貫通孔、５０ｈ，５０ｉ…ねじ溝孔、５１…上側壁部、５１ａ…対向面、５２…上側爪部、５３…上側反射鏡固定部、５４…上側反射鏡固定部基体、５４ａ…対向面、５４ｂ…背向面、５４ｃ，５４ｄ…貫通孔、５５…上側反射鏡押圧部、５６…上側パッド部、５７ａ、５７ｂ…ねじ、６０，１２０，１９０…下側保持部材、６０ａ…対向面、６０ｂ…背向面、６０ｃ…ねじ溝孔、６０ｄ…上側壁面、６０ｅ，６０ｆ…凹状部、６０ｇ…貫通孔、６０ｈ，６０ｉ…ねじ溝孔、６１…下側壁部、６１ａ…対向面、６２…下側爪部、６３…下側反射鏡固定部、６４…下側反射鏡固定部基体、６４ａ…対向面、６４ｂ…背向面、６４ｃ，６４ｄ…貫通孔、６５…下側反射鏡押圧部、６６…下側パッド部、６７ａ、６７ｂ…ねじ、６８…位置決め用突出部、６９…位置決め用孔、７０，１３０，２００…左側保持部材、７０ａ…対向面、７０ｂ…背向面、７０ｃ，７０ｄ…ねじ溝孔、７０ｅ…右側壁面、７０ｆ…凹状部、７０ｇ…貫通孔、７０ｈ，７０ｉ…ねじ溝孔、７１…左側壁部、７１ａ…対向面、７２…左側爪部、７３…左側反射鏡固定部、７４…左側反射鏡固定部基体、７４ａ…対向面、７４ｂ…背向面、７４ｃ，７４ｄ…貫通孔、７５…左側反射鏡押圧部、７６…左側パッド部、７７ａ、７７ｂ…ねじ、８０，１４０，２１０…右側保持部材、８０ａ…対向面、８０ｂ…背向面、８０ｃ，８０ｄ…ねじ溝孔、８０ｅ…左側壁面、８０ｆ…凹状部、８０ｇ…貫通孔、８０ｈ，８０ｉ…ねじ溝孔、８１…右側壁部、８１ａ…対向面、８２…右側爪部、８３…右側反射鏡固定部、８４…右側反射鏡固定部基体、８４ａ…対向面、８４ｂ…背向面、８４ｃ，８４ｄ…貫通孔、８５…右側反射鏡押圧部、８６…右側パッド部、８７ａ、８７ｂ…ねじ、１１１，１２１，１３１，１４１…接着剤、１６１…上側ワイヤ固定凸部、１６２…下側ワイヤ固定凸部、１６３…左側ワイヤ固定凸部、１６４…右側ワイヤ固定凸部、１８０ｈ，１８０ｉ…貫通孔、１８１…上側壁部、１８２…上側反射鏡固定部、１８３…上側反射鏡固定部基体、１８３ａ，１８３ｂ…ねじ溝孔、１８４…上側反射鏡固定部壁部、１８４ａ…貫通孔、１８４ｂ…ワイヤ通路、１８５ａ，１８５ｂ…ブッシュナット、１８６…ワイヤ、１８６ａ，１８６ｂ…ワイヤ端、１９０ｈ，１９０ｉ…貫通孔、１９１…下側壁部、１９２…下側反射鏡固定部、１９３…下側反射鏡固定部基体、１９３ａ，１９３ｂ…ねじ溝孔、１９４…下側反射鏡固定部壁部、１９４ａ…貫通孔、１９４ｂ…ワイヤ通路、１９５ａ，１９５ｂ…ブッシュナット、１９６…ワイヤ、１９６ａ，１９６ｂ…ワイヤ端、２００ｈ，２００ｉ…貫通孔、２０１…左側壁部、２０２…左側反射鏡固定部、２０３…左側反射鏡固定部基体、２０３ａ，２０３ｂ…ねじ溝孔、２０４…左側反射鏡固定部壁部、２０４ａ…貫通孔、２０４ｂ…ワイヤ通路、２０５ａ，２０５ｂ…ブッシュナット、２０６…ワイヤ、２０６ａ，２０６ｂ…ワイヤ端、２１０ｈ，２１０ｉ…貫通孔、２１１…右側壁部、２１２…右側反射鏡固定部、２１３…右側反射鏡固定部基体、２１３ａ，２１３ｂ…ねじ溝孔、２１４…右側反射鏡固定部壁部、２１４ａ…貫通孔、２１４ｂ…ワイヤ通路、２１５ａ，２１５ｂ…ブッシュナット、２１６…ワイヤ、２１６ａ，２１６ｂ…ワイヤ端
【図１】
2019109304.tif 000003
【図２】
2019109304.tif 000004
【図３】
2019109304.tif 000005
【図４】
2019109304.tif 000006
【図５】
2019109304.tif 000007
【図６】
2019109304.tif 000008
【図７】
2019109304.tif 000009
【図８】
2019109304.tif 000010
【図９】
2019109304.tif 000011
【図１０】
2019109304.tif 000012
【図１１】
2019109304.tif 000013
【図１２】
2019109304.tif 000014
【図１３】
2019109304.tif 000015
【図１４】
2019109304.tif 000016
【図１５】
2019109304.tif 000017
【図１６】
2019109304.tif 000018
【図１７】
2019109304.tif 000019
【図１８】
2019109304.tif 000020
【図１９】
2019109304.tif 000021
【図２０】
2019109304.tif 000022